(57)【要約】【課題】      釣竿素材の損傷と異音の発生を防止し、釣竿におけるリ−ル脚の緊締位置が自由に変更出来る釣竿のリ−ル脚緊締具を提供することである。【解決手段】  シ−ト状の緊締部材１の一側表裏に夫々柔軟部材の保護シ−ト２と硬質部材の保護シ−ト３が固定されて形成されている。  緊締部材１は、天然皮革、合成皮革、ナイロンオックス（ナンイロン平織り）、その他の織物等で矩形状の本体１ａの他側にＹ字状に延びる一方の他側片１ｂと他方の他側片１ｃで形成され、緊締部材１の本体１ａの表側にベルクロテ−プ４、４が、一方の他側片１ｂと他方の他側片１ｃの裏面にベルクロテ−プ５、５が固定されて竿杆６に緊締部材１を巻回してリ−ル脚７が緊締される。【選択図】        図２
2008253152.tif 000002
【特許請求の範囲】
【請求項１】
釣竿にリ−ル脚を固定するリ−ル脚緊締具であって、竿杆表面とリ−ル脚との間の竿杆表面の外方に柔軟部材で形成された柔軟部材の保護シ−トと、前記柔軟部材の保護シ−トの外方にリ−ル脚を竿杆に固定する緊締部材と、前記緊締部材の外方に硬質部材で形成された硬質部材の保護シ−トと、前記硬質部材の保護シ−トの外面にリ−ル脚を載置し、外方から緊締部材により該リ−ル脚を固定することを特徴とする釣竿のリ−ル脚緊締具。
【請求項２】
前記緊締部材をシ−トで形成し、シ−ト状の緊締部材の一側表裏に柔軟部材の保護シ−トと硬質部材の保護シ−トを配置し、竿杆の外周にシ−ト状の緊締部材を巻回緊締し、前記硬質部材の保護シ−トの上にリ−ル脚を載置して緊締部材の他側でリ−ル脚を覆って緊締したことを特徴とする請求項１記載の釣竿のリ−ル脚緊締具。
【請求項３】
前記緊締部材を筒状に形成し、竿杆外周と筒状の緊締部材の間に柔軟部材の保護シ−トを配置し、前記緊締部材の柔軟部材の保護シ−ト位置の外方に硬質部材の保護シ−トを配置して硬質部材の保護シ−トの外方にリ−ル脚を載置し、前記緊締部材とリ−ル脚の外方に他の緊締部材を取り付けてリ−ル脚を覆って緊締したことを特徴とする請求項１記載の釣竿のリ−ル脚緊締具。
【発明の詳細な説明】
【技術分野】
【０００１】
本発明は、釣竿にリ−ル脚を緊締する釣竿のリ−ル脚緊締具に関する。
【背景技術】
【０００２】
従来釣竿にリ−ル脚を緊締するには、釣竿外周に載置したリ−ル脚の前後の両側を釣竿に嵌合した筒部材で緊締したり、特許文献１のように釣竿外周に載置した板シ−トやパイプシ−トにＴ字形のリ−ル脚を装着してその外周をリ−ルシ−トカバ−で覆ったり、特許文献２のように釣竿外周と板シ−トの間に音鳴り抑制材を挟んで板シ−トを載置してリ−ル脚を緊締した提案がある。
前記従来例では、リ−ル脚が釣竿の素材に直接触れるのでＴ字形のリ−ル脚の端部で素材が破損し易い。
特許文献１のように釣竿外周に板シ−トを介してリ−ル脚が装着されると、板シ−トの釣竿への装着部位から異音を発することになり、特許文献２のように音鳴り抑制材を挟んで板シ−トを載置してリ−ル脚を緊締することになる。
更に特許文献１の板シ−トやパイプシ−トでリ−ル脚を装着すると、釣竿におけるシ−トとリ−ル脚の位置が固定されて位置変更することが出来ない欠点がある。
又、特許文献１のパイプシ−トでリ−ル脚を装着する場合は、釣竿の外径とパイプシ−トの内径が適合するように配慮しなければならなくなり、パイプシートの内径寸法の許容範囲が狭い欠点がある。
特許文献２では異音の発生を防止できるが釣竿におけるシ−トとリ−ル脚の位置変更が出来ず、シ−トとリ−ル脚の金属部分に手が触れて手が痛くなることがある。
【特許文献１】実開昭６０−１１６８６３号公報
【特許文献２】特開２００６−２０５３０号公報
【発明の開示】
【発明が解決しようとする課題】
【０００３】
解決しようとする問題点は、釣竿外周にシ−トやリ−ル脚が直接触れると端部で釣竿の素材を損傷したり、異音を発生することになり、釣竿外周に板シ−トやパイプシ−トでリ−ル脚を装着すると、釣竿におけるシ−トとリ−ル脚の位置が固定されて位置変更することが出来ない欠点があることである。
【０００４】
本発明の目的は前記欠点に鑑み、釣竿素材の損傷と異音の発生を防止し、釣竿におけるリ−ル脚の固定位置が自由に変更出来る釣竿のリ−ル脚緊締具を提供することである。
【課題を解決するための手段】
【０００５】
請求項１に係わる本発明は、釣竿にリ−ル脚を固定するリ−ル脚緊締具であって、竿杆表面とリ−ル脚との間の竿杆表面の外方に柔軟部材で形成された柔軟部材の保護シ−トと、前記柔軟部材の保護シ−トの外方にリ−ル脚を竿杆に固定する緊締部材と、前記緊締部材の外方に硬質部材で形成された硬質部材の保護シ−トと、前記硬質部材の保護シ−トの外面にリ−ル脚を載置し、外方から緊締部材により該リ−ル脚を固定することを要旨とするものである。
請求項２に係わる本発明は、前記緊締部材をシ−トで形成し、シ−ト状の緊締部材の一側表裏に柔軟部材の保護シ−トと硬質部材の保護シ−トを配置し、竿杆の外周にシ−ト状の緊締部材を巻回緊締し、前記硬質部材の保護シ−トの上にリ−ル脚を載置して緊締部材の他側でリ−ル脚を覆って緊締したことを要旨とするものである。
請求項３に係わる本発明は、前記緊締部材を筒状に形成し、竿杆外周と筒状の緊締部材の間に柔軟部材の保護シ−トを配置し、前記緊締部材の柔軟部材の保護シ−ト位置の外方に硬質部材の保護シ−トを配置して硬質部材の保護シ−トの外方にリ−ル脚を載置し、前記緊締部材とリ−ル脚の外方に他の緊締部材を取り付けてリ−ル脚を覆って緊締したことを要旨とするものである。
【発明の効果】
【０００６】
本発明によって、釣竿の好みの位置にリ−ル脚を素早く緊締することが出来る。
リ−ル脚は緊締部材に固定された柔軟部材の保護シ−トの上に載せられるのでリ−ル脚の端部で竿杆の素材を損傷したり、異音の発生が防止される。
竿杆外周に硬質部材の保護シ−トを介してリ−ル脚が載置されるので使用時に上下、左右にズレは無い。
【発明を実施するための最良の形態】
【０００７】
シ−ト状の緊締部材１の一側表裏に夫々柔軟部材の保護シ−ト２と硬質部材の保護シ−ト３が固定されて形成されている。
緊締部材１は、天然皮革、合成皮革、ナイロン繊維の織物、その他の織物等で矩形状の本体１ａの他側にＹ字状に延びる一方の他側片１ｂと他方の他側片１ｃで形成され、緊締部材１の本体１ａの表側にベルクロテ−プ４、４が、一方の他側片１ｂと他方の他側片１ｃの裏側にベルクロテ−プ５、５が固定されて竿杆６に緊締部材１を巻回してリ−ル脚７が緊締される。
【実施例１】
【０００８】
以下、本発明の実施例を図面に基づき説明すると、図１から図４は第１実施例で図１（ａ）は釣竿のリ−ル脚緊締具のシ−ト状緊締部材の平面図で（ｂ）はシ−ト状緊締部材の側面図、図２は竿杆外周に緊締部材が巻回されてリ−ル脚が緊締された断面側面図、図３は竿杆外周に前側から見て緊締部材が左巻きされた側面図、図４は竿杆外周に前側から見て緊締部材が右巻きされた側面図である。
【０００９】
釣竿のリ−ル脚緊締具は、シ−ト状緊締部材１の一側表裏に夫々柔軟部材の保護シ−ト２と硬質部材の保護シ−ト３が固定されて形成され、緊締部材１の表裏にベルクロテ−プが固定されて竿杆６に緊締部材１を巻回してリ−ル脚７が緊締される。
シ−ト状の緊締部材１は、天然皮革、合成皮革、ナイロン繊維の織物、その他の織物等で矩形状の本体１ａの他側にＹ字状に延びる一方の他側片１ｂと他方の他側片１ｃで形成されている。
本体１ａの一側表裏の裏側１ｄには柔軟部材の保護シ−ト２が固定されている。
保護シ−ト２は合成ゴム、天然ゴム、発泡ウレタン等で帯状に形成されている。
保護シ−ト２は厚さ０．５ｍｍ程度の両面テ−プを使用してもよい。
本体１ａの一側表裏の表側１ｅには硬質部材の保護シ−ト３が固定されている。
保護シ−ト３は例えばウレタン系、エポキシ系の合成樹脂製板状部材である。
本体１ａの一側表側１ｅの保護シ−ト３位置より他側がわの両側にベルクロテ−プ４、４が固定されている。
他側片１ｂの裏側と他側片１ｃの裏側にはベルクロテ−プ５、５が固定されている。
シ−ト状緊締部材１の本体１ａの中程は肉厚を厚めに形成してもよい。
厚めの状態を図１（ｂ）と図２で１ｆで表示した。
【００１０】
竿杆６の外周にリ−ル脚７が装着される時は、竿杆６の外周に緊締シ−ト１に固定された柔軟部材の保護シ−ト２が当てられて本体１ａが竿杆６の外周に巻回されると共に硬質部材の保護シ−ト３の上にリ−ル脚７が当てられて他側片１ｂと他側片１ｃがリ−ル脚７を覆って引き締められてベルクロテ−プ４、４にベルクロテ−プ５、５が係合されて竿６にリ−ル脚７が緊締部材１で緊締される。
図３は竿杆６外周に前側から見て緊締部材１が左巻きされた側面図で右手の平に本体１ａが当り、指先に他側片１ｂと他側片１ｃが当たる握り方になる。
図４は竿杆６外周に前側から見て緊締部材１が右巻きされた側面図で右手の平に本体１ａと他側片１ｂと他側片１ｃが当たり、指先に本体１ａが当たる握り方になる。
【００１１】
前記のように釣竿のリ−ル脚緊締具が構成されると、竿杆６の好みの位置にリ−ル脚７を素早く緊締することが出来る。
リ−ル脚７は緊締部材１に固定された柔軟部材の保護シ−ト３の上に載せられるのでリ−ル脚７の端部で竿杆６の素材を損傷したり、異音の発生が防止される。
竿杆６外周に硬質部材の保護シ−ト２を介してリ−ル脚７が載置されるので使用時に上下、左右にズレは無い。
リ−ル脚７は緊締部材１の他側片１ｂと他側片１ｃで覆われているので金属部分が手に触れることが少なく、手が痛くなることを防止している。
多種の竿杆６の外径寸法に対する許容範囲が広くなる。
使用する人の好みによって緊締部材１の右巻き、左巻きを選択することが出来る。
【実施例２】
【００１２】
図５から図７は第２実施例で、図５は竿杆外周に筒状の緊締部材でリ−ル脚が緊締された断面側面図、図６は竿杆外周に筒状の緊締部材が嵌合固定された斜視図、図７は竿杆外周にリ−ル脚が緊締された断面正面図である。
【００１３】
第２実施例では竿杆６の外周に柔軟部材の保護シ−ト２が載せられ、その上に竿杆６の外周を包込むように筒状の緊締部材８が嵌合固定されている。
筒状の緊締部材８の外周で柔軟部材の保護シ−ト２が載せられた位置の外側に硬質部材の保護シ−ト３が載せられ、硬質部材の保護シ−ト３の上にリ−ル脚７が載置されてその外側を他の筒状の緊締部材９が嵌合されている。
筒状の緊締部材９には窓孔９ａが形成されてリ−ル脚７が緊締される時はこの窓孔９ａに差し込まれて緊締される。
他の構成は前記第１実施例と略同一である。
【産業上の利用可能性】
【００１４】
釣竿のリ−ル脚緊締具に広く利用できる。
【図面の簡単な説明】
【００１５】
【図１】第１実施例で、（ａ）は釣竿のリ−ル脚緊締具のシ−ト状緊締部材の平面図で（ｂ）はシ−ト状緊締部材の側面図である。
【図２】同竿杆外周に緊締部材が巻回されてリ−ル脚が緊締された軸長方向の断面図である。
【図３】同竿杆外周に前側から見て緊締部材が左巻きされた側面図である。
【図４】同竿杆外周に前側から見て緊締部材が右巻きされた側面図である。
【図５】第２実施例で、竿杆外周に筒状の緊締部材でリ−ル脚が緊締された軸長方向の断面図である。
【図６】同竿杆外周に筒状の緊締部材が嵌合固定された斜視図である。
【図７】同竿杆外周にリ−ル脚が緊締された断面正面図である。
【符号の説明】
【００１６】
１、８、９  緊締部材
２  柔軟部材の保護シ−ト
３  硬質部材の保護シ−ト
６  竿杆
７  リ−ル脚
【図１】
2008253152.tif 000003
【図２】
2008253152.tif 000004
【図３】
2008253152.tif 000005
【図４】
2008253152.tif 000006
【図５】
2008253152.tif 000007
【図６】
2008253152.tif 000008
【図７】
2008253152.tif 000009